(57)【要約】【課題】光学式ピックアップより照射されるレーザー光の出力を制御するレーザー出力制御回路を提供する。【解決手段】記録出力設定回路５から供給される基準信号とモニター信号のレベルとの関係及びサーボ回路から供給される駆動電圧に代わって供給される駆動信号とモニター信号との関係を記録動作を行う前に求め、記録動作中記録信号出力設定回路５から供給される基準信号のレベルをメモリー回路１０に記憶し、記録中断後の記録再開時前記サーボ回路からの駆動電圧に代わってメモリー回路１０に記憶されている記録中断時の基準信号のレベルに対するモニター信号のレベルから得られる駆動電圧をレーザーダイオード１に供給し、記録動作が再開されたとき、前記サーボ回路からの駆動電圧をレーザーダイオード１に供給する。【選択図】　　図１
2004005784.tif 000002
【特許請求の範囲】
【請求項１】
角速度一定にて回転駆動されるディスクに信号を記録するとともに記録動作状態において記録動作の中断再開動作を行うことが出来るように構成された光ディスク記録再生装置において、ディスクに信号を記録するレーザー光を照射するレーザーダイオードと、該レーザーダイオードより照射されるレーザー光のレベルをモニターするべく設けられているモニター用ダイオードと、記録動作を行うために適したレーザー出力を得る基準信号を出力する記録出力設定回路と、該記録出力設定回路より出力される基準信号と前記モニター用ダイオードより得られるモニター信号とを比較することにより前記レーザーダイオードに供給される駆動電圧のレベルを制御するサーボ回路とより成り、記録開始前に前記記録出力設定回路より出力される測定用基準信号に応じた駆動電圧をサーボ回路を通してレーザーダイオードに供給するとともに前記モニター用ダイオードより得られるモニター信号に基づいて基準信号とモニター信号のレベルとの関係を求める第１設定動作を行い、更に前記サーボ回路からの駆動電圧に代わって測定用駆動データに基づく駆動電圧をレーザーダイオードに供給するとともに前記モニター用ダイオードより得られるモニター信号に基づいて駆動データとモニター信号のレベルとの関係を求める第２設定動作を記録動作を行う前に行い、記録動作中前記記録出力設定回路より出力される基準信号のレベルを記憶するメモリー回路を設け、記録中断後の記録再開時前記サーボ回路からの駆動電圧に代わって前記メモリー回路に記憶されている記録中断時の基準信号のレベルに対するモニター信号のレベルから得られる駆動電圧をレーザーダイオードに供給し、記録動作が再開されたとき、前記サーボ回路からの駆動電圧をレーザーダイオードに供給するようにしたことを特徴とする光ディスク記録再生装置のレーザー出力制御回路。
【請求項２】
第１設定動作及び第２設定動作を非合焦状態にて行うようにしたことを特徴とする請求項１に記載のレーザー出力制御回路。
【発明の詳細な説明】
【０００１】
【発明の属する技術分野】
本発明は、光学式ピックアップより照射されるレーザー光によってディスクに信号を記録するとともにレーザー光によってディスクに記録されている信号の再生動作を行うように構成された光ディスク記録再生装置に関する。
【０００２】
【従来の技術】
光学式ピックアップを用いてディスクに記録されている信号の読み出し動作を行うディスクプレーヤーが普及しているが、最近では、再生機能に加えて光学式ピックアップより照射されるレーザー光によってディスクに信号を記録することが出来るように構成された光ディスク記録再生装置が商品化されている。
【０００３】
斯かる光ディスク記録再生装置では、レーザー光によってディスク上にピットを形成するように構成されているが、レーザー光の出力レベルが最適でなかった場合には、ピットの形状が大きすぎたり小さすぎたりすることになる。そのため、斯かる光ディスク記録再生装置に使用されるディスクには、最内周側に試し書き領域が設けられており、その試し書き領域に信号を記録した後再生し、その再生信号を検出することによって記録のためのレーザー出力を設定するように構成されているが、斯かる技術としては、例えば特開平６−７６２８８号公報に開示されたものがある。
【０００４】
【発明が解決しようとする課題】
ディスクに信号を記録する動作は、レーザーダイオードより出力されるレーザー光の出力レベルを記録用レベルと再生用レベルとに交互に切り換えることによって行われる。即ち、ディスク上に設けられている信号トラックに記録用出力のレーザー光によってピットを形成することによって行われるが、そのピットの大きさは規定の大きさになるように設定されている。斯かる信号の記録動作は、ディスクを所定の線速度一定の状態にて回転駆動させることによって行われるが、最近では、記録動作時の線速度を所定の速度の数倍にした状態にて行うことが出来るようにした光ディスク記録再生装置が製品化されている。
【０００５】
また、ディスクへの記録動作を線速度一定にて行う場合、内周側の回転速度は外周側よりも高速になるという特性がある。そして、ディスクを回転駆動するスピンドルモーターの回転特性より受ける規制によって、ディスクの内周側では、例えば規定の線速度の１６倍の線速度による記録動作を行うことが出来るものの２０倍や２４倍の線速度一定による記録動作は行うことは非常に困難である。そのため、最近では、ディスクの回転速度を一定、即ち角速度一定の状態にて回転させたままで内周から外周まで記録動作を行うことによって記録動作を短時間にて行うことが出来るようにした技術が開発されている。
【０００６】
また、ディスクへの記録速度を高速にすると、ホスト機器であるコンピューター装置より出力されるデータ信号のデータ量が不足する、所謂バッファアンダーランと呼ばれる現象が発生することになるが、最近ではバッファアンダーラン状態になると、一旦記録動作を中断させた後記録動作を記録中断位置から再開させる動作を行うことによってバッファアンダーランエラーが発生しないようにした技術が開発されている。
【０００７】
記録の中断再開動作を行うことによってバッファアンダーランエラーの発生を防止することが出来るが、記録の中断再開動作によってディスクに記録される信号が連続するように記録する必要があり、そのためには記録動作を行うためのレーザー出力の制御動作を正確に行う必要がある。
【０００８】
本発明は、斯かるレーザー出力の制御動作を行う場合に適した制御回路を提供しようとするものである。
【０００９】
【課題を解決するための手段】
本発明は、ディスクに信号を記録するレーザー光を照射するレーザーダイオードと、該レーザーダイオードより照射されるレーザー光のレベルをモニターするべく設けられているモニター用ダイオードと、記録動作を行うために適したレーザー出力を得る基準信号を出力する記録出力設定回路と、該記録出力設定回路より出力される基準信号と前記モニター用ダイオードより得られるモニター信号とを比較することにより前記レーザーダイオードに供給される駆動電圧のレベルを制御するサーボ回路とより成り、記録開始前に前記記録出力設定回路より出力される測定用基準信号に応じた駆動電圧をサーボ回路を通してレーザーダイオードに供給するとともに前記モニター用ダイオードより得られるモニター信号に基づいて基準信号とモニター信号のレベルとの関係を求める第１設定動作を行い、更に前記サーボ回路からの駆動電圧に代わって測定用駆動データに基づく駆動電圧をレーザーダイオードに供給するとともに前記モニター用ダイオードより得られるモニター信号に基づいて駆動データとモニター信号のレベルとの関係を求める第２設定動作を記録動作を行う前に行い、記録動作中前記記録出力設定回路より出力される基準信号のレベルを記憶するメモリー回路を設け、記録中断後の記録再開時前記サーボ回路からの駆動電圧に代わって前記メモリー回路に記憶されている記録中断時の基準信号のレベルに対するモニター信号のレベルから得られる駆動電圧をレーザーダイオードに供給し、記録動作が再開されたとき、前記サーボ回路からの駆動電圧をレーザーダイオードに供給するように構成されている。
【００１０】
【実施例】
図１は本発明に係る光ディスク記録再生装置の一実施例を示す回路図である。同図において、１は光学式ピックアップに組み込まれているとともにレーザー光を照射するレーザーダイオードであり、レーザー駆動回路２より供給される電流によって駆動されるように接続されている。斯かる回路において、記録動作時には、レーザー駆動回路２よりレーザーダイオード１に対してパルス信号、即ち記録用出力レベルと再生用出力レベルより構成されたパルス信号が供給されるように構成されている。
【００１１】
３は前記レーザーダイオード１より出力されるレーザー光のレベルをモニターするべく設けられているモニター用ダイオード、４は前記モニター用ダイオード３から得られるモニター信号が入力されるモニター信号増幅回路であり、モニター信号を増幅する作用を有している。
【００１２】
５はディスクに設けられている試し書き領域へのテスト信号の記録再生動作及び記録線速度とレーザー出力との関係式に基づいて算出されることにより設定されるレーザー出力を得るために記憶されているデータに基づいて記録線速度に適した基準信号を出力する記録出力設定回路である。６は−側の端子である比較信号入力端子が前記モニター信号増幅回路４の出力端子に接続されているとともに＋側の端子である基準信号入力端子が前記記録出力設定回路５の出力端子に接続されている比較回路であり、出力端子と比較信号入力端子との間にはコンデンサー７及び抵抗８が並列に接続されている。
【００１３】
９は光ディスク記録再生装置の各種の制御動作を行う制御回路であり、試し書き領域へのテスト信号の記録再生動作及び算出動作によって求められた各データに基づいて記録線速度に対応して最適なレーザー出力を得ることが出来る基準信号を記録出力設定回路５より出力させるための制御動作を行うように構成されている。即ち、制御回路９にてデジタル処理された信号に基づいて記録出力設定回路５から出力される基準信号の電圧レベルをディスク上の記録位置における線速度に適したレーザー出力が得られる値になるように変更制御するように構成されている。１０は前記制御回路９によって動作が制御されるメモリー回路であり、各種のデータが記憶されるように構成されている。
【００１４】
１１は前記制御回路７によって切換動作が制御される制御スイッチであり、前記レーザー駆動回路２の入力端子に接続されている可動端子１１ａ、前記比較回路６の出力端子に接続されている第１固定端子１１ｂ及び前記制御回路９に設けられている記録開始電圧出力端子９Ｒに接続されている１１ｃを備えている。
【００１５】
斯かる構成において、ディスクの内周側に設けられている試し書き領域にテスト信号の記録動作を行うとともに記録されたテスト信号の再生動作を行うことによって記録線速度、例えば内周側の記録開始位置に記録動作を行うために最適なレーザー出力を得ることが出来るデータを得て、そのデータに基づいて記録出力設定回路５より記録位置がディスクの外周方向に移動するに従って変化する記録線速度に対応した基準信号を出力させるように構成されている。斯かる基準信号は、前もって設定されている記録速度とレーザー出力の関係式に基づいて算出されるように構成されている。
【００１６】
また、斯かる構成において、コンピューター装置より出力されるデータ信号の量が不足した場合にバッファアンダーラン状態になるが、斯かる状態になるとディスクへの記録動作を一旦中断させるとともにデータ信号の量が増加したとき記録中断位置より記録動作を再開させることが出来るように構成されている。斯かる記録中断再開動作は、周知の技術を使用することによって行うことが出来るのでその説明は省略する。
【００１７】
データ信号をディスクの記録領域に記録する状態にあるときには、制御スイッチ１１は図示した状態にあり、レーザー駆動回路２からは前述したパルス信号、即ち記録用出力レベルと再生用出力レベルより構成されたパルス信号がレーザーダイオード１に対して出力されることになる。そして、斯かる記録動作が行われている状態では、モニター信号増幅回路４によって増幅されたモニター信号が比較回路６の比較信号入力端子に入力される状態にある。
【００１８】
このように記録動作を行う状態にあるときには、前記モニター信号増幅回路４より増幅されたモニター信号が比較回路６の比較信号入力端子に入力され、その信号が記録出力設定回路５より出力される基準信号と比較される状態になるが、記録動作を行うためのレーザー出力を制御する状態にあるときには、記録用出力レベルの期間をサンプリングし、その期間のモニター信号が比較回路６の比較信号入力端子に入力されるように構成されている。
【００１９】
そして、前記比較回路６の比較信号入力端子に入力される記録用出力レベルのモニター信号と基準信号入力端子に入力される記録出力設定回路５の出力信号である基準信号との比較動作が行われ、その比較出力信号が制御スイッチ１１を介してレーザー駆動回路２に供給されるため、レーザーダイオード１に供給される駆動信号の記録用出力を最適なレベルにする制御動作が行われることになる。即ち、レーザーダイオード１より照射されるレーザー光をモニターするべく設けられているモニター用ダイオード３から得られるモニター信号がモニター信号増幅回路４によって増幅された後、比較回路６の比較信号入力端子に入力され、その入力された信号と記録出力設定回路５より出力される基準信号とが比較回路６によって比較される動作が常時行われる。その比較された信号がレーザー駆動回路２に供給されるため、レーザー出力を最適な状態に保持するための制御動作、所謂サーボ動作が行われる。そして、斯かるサーボ動作を行うサーボ回路はモニター用ダイオード３、モニター信号増幅回路４、記録出力設定回路５及び比較回路６にて構成されている。
【００２０】
次に本発明の要旨である記録中断再開時のレーザー出力の設定動作について説明する。角速度一定にて回転するディスクにデータ信号を記録する場合、記録位置が外周方向へ移動するに従って記録線速度が次第に速くなるためレーザー出力を変更する必要があり、斯かるレーザー出力の設定動作は、前述したように試し書き領域へのテスト信号の記録再生動作及び前もって設定されている関係式に基づく算出動作によって行われるが、記録中断再開動作時に使用される駆動データの設定について説明する。
【００２１】
斯かる駆動データを設定するために行われる第１の設定動作は、制御スイッチ１１を図示した状態に切り換えた状態にて行われる。例えば、レーザーダイオード１が照射することが出来る定格出力の２０％のレーザー光が出力される測定用基準信号を記録出力設定回路５より出力させ、このとき比較回路６より出力される信号に基づく駆動電圧をレーザー駆動回路２より出力させる。その結果、レーザーダイオード１より定格出力の２０％程度のレーザー光が発せられるので、そのレーザー光が照射されるモニター用ダイオード３からはその発光量に応じたモニター信号が得られる。前記モニター用ダイオード３から得られるモニター信号は、モニター信号増幅回路４によって増幅された後制御回路９に入力されるとともに比較回路６の比較信号入力端子に入力される。従って、斯かる状態では、サーボ動作が行われた状態にあるため、レーザーダイオード１より出力されるレーザー光のレベルは安定した状態にあり、制御回路９に入力されるモニター信号のレベルも安定することになる。斯かる動作が行われる結果、記録出力設定回路５より出力される測定用基準信号とモニター信号のレベルとを検出することが出来、そのデータがメモリー回路１０に記憶される。
【００２２】
斯かる測定動作が終了すると、次にレーザーダイオード１が照射することが出来る定格出力の８０％のレーザー光が出力される測定用基準信号を記録出力設定回路５より出力させ、このとき比較回路６より出力される信号に基づく駆動電圧をレーザー駆動回路２より出力させる。その結果、レーザーダイオード１より定格出力の８０％程度のレーザー光が発せられるので、そのレーザー光が照射されるモニター用ダイオード３からはその発光量に応じたモニター信号が得られる。前記モニター用ダイオード３から得られるモニター信号は、モニター信号増幅回路４によって増幅された後制御回路９に入力されるとともに比較回路６の比較信号入力端子に入力される。従って、斯かる状態では、サーボ動作が行われた状態にあるため、レーザーダイオード１より出力されるレーザー光のレベルは安定した状態にあり、制御回路９に入力されるモニター信号のレベルも安定することになる。斯かる動作が行われる結果、記録出力設定回路５より出力される測定用基準信号とモニター信号のレベルとを検出することが出来、そのデータがメモリー回路１０に記憶される。
【００２３】
前述した測定動作によって低出力時（定格の２０％）及び高出力時（定格の８０％）の基準信号と各出力時に対応したモニター信号のレベルに基づくデータがメモリー回路１０に記憶されるので、これらのデータから基準信号とモニター信号のレベルとの関係を算出する近似式を得ることが出来る。このように第１の設定動作は行われるが、斯かる第１の設定動作を行うとき、レーザーダイオード１より照射されるレーザー光のレベルは記録動作を行うためのレベルに達するため、合焦状態ではディスクに信号が記録されることになる。従って、斯かる設定動作を行う状態では、制御回路９によるピックアップ制御回路（図示せず）に対する制御動作によってレーザーダイオード１より照射されるレーザー光がディスクの信号面に合焦しない状態、即ち非合焦状態にするための制御動作が行われる。
【００２４】
以上に説明したように記録用出力設定回路５より出力される基準信号とモニター信号のレベルとの関係を求める第１の設定動作は行われるが、次に制御回路９に設けられている記録開始電圧出力端子９Ｒより出力される測定用駆動電圧とモニター信号のレベルとの関係を求める第２の設定動作について説明する。斯かる第２の設定動作は、前記制御スイッチ１１を図示した状態の反対側に切り換えた状態にて行われる。例えば、レーザーダイオード１が照射することが出来る定格出力の２０％のレーザー光を出力することが出来る測定用駆動データに基づく駆動電圧を制御回路９に設けられている記録開始電圧出力端子９Ｒより出力させ、その駆動電圧に基づく駆動信号をレーザー駆動回路２より出力させる。その結果、レーザーダイオード１より定格出力の２０％程度のレーザー光が発せられるので、そのレーザー光が照射されるモニター用ダイオード３からはその発光量に応じたモニター信号が得られる。前記モニター用ダイオード３から得られるモニター信号は、モニター信号増幅回路４によって増幅された後制御回路９に入力される。従って、斯かる状態では、記録開始電圧出力端子９Ｒより出力される駆動電圧とモニター信号のレベルに対応した測定データを検出することが出来、そのデータがメモリー回路１０に記憶される。
【００２５】
斯かる測定記憶動作が終了すると、次にレーザーダイオード１が照射することが出来る定格出力の８０％のレーザー光を出力することが出来る測定用駆動データに基づく駆動電圧を制御回路９に設けられている記録開始電圧出力端子９Ｒより出力させ、その駆動電圧に基づく駆動信号をレーザー駆動回路２より出力させる。その結果、レーザーダイオード１より定格出力の８０％程度のレーザー光が発せられるので、そのレーザー光が照射されるモニター用ダイオード３からはその発光量に応じたモニター信号が得られる。前記モニターダイオード３から得られるモニター信号は、モニター信号増幅回路４によって増幅された後制御回路９に入力される。従って、斯かる状態では、記録開始電圧出力端子９Ｒより出力される駆動電圧とモニター信号のレベルに対応した測定データを検出することが出来、そのデータがメモリー回路１０に記憶される。
【００２６】
前述した測定動作によって低出力時（定格の２０％）及び高出力時（定格の８０％）の駆動電圧と各出力時に対応したモニター信号のレベルに基づくデータがメモリー回路１０に記憶されるので、これらのデータから記録開始電圧出力端子９Ｒより出力される駆動電圧とモニター信号のレベルとの関係を算出する近似式を得ることが出来る。このように第２の設定動作は行われるが、斯かる第２の設定動作を行うとき、レーザーダイオード１より照射されるレーザー光のレベルは記録動作を行うためのレベルに達するため、合焦状態ではディスクに信号が記録されることになる。従って、斯かる設定動作を行う状態では、制御回路９によるピックアップ制御回路（図示せず）に対する制御動作によってレーザーダイオード１より照射されるレーザー光がディスクの信号面に合焦しない状態、即ち非合焦状態にするための制御動作が行われる。
【００２７】
以上に説明したように記録動作を開始する前のレーザー出力の設定調整動作等は行われるが、次に本実施例における動作について説明する。記録動作が行われているときには、制御スイッチ１１は図示した状態にあり、記録出力設定回路５からはディスク上の記録位置の線速度に適した基準信号が出力されて比較回路６の基準信号入力端子に入力された状態にある。レーザーダイオード１より照射されるレーザー光のレベルをモニターするべく設けられているモニター用ダイオード３より得られるモニター信号がモニター信号増幅回路４によって増幅された後前記比較回路６の比較信号入力端子に入力された状態にある。従って、レーザー駆動回路２からは、記録出力設定回路５から出力される基準信号に基づくサーボ動作によって制御される駆動電圧がレーザーダイオード１に供給されるので、ディスク上の記録位置に適したレーザー出力によって記録動作を行うことが出来る。
【００２８】
前述したように記録位置の線速度に適した出力のレーザー光がレーザーダイオード１より照射されるが、斯かる記録動作が行われているとき、記録出力設定回路５より出力される基準信号を出力させるためのデータはメモリー回路１０に記憶された状態にある。
【００２９】
前述したレーザー出力の制御動作が行われた状態で記録動作が行われるが、記録動作状態にあるときにバッファアンダーラン状態になると、ディスクへの記録動作が中断されるが、斯かる記録の中断動作が行われたとき、記録出力設定回路５より出力されていた基準信号を出力させるためのデータはメモリー回路１０に記憶された状態にある。そして、バッファアンダーラン状態が解消されると、記録中断前に記録された信号に連続するように信号の記録動作を再開させるための制御動作が行われる。斯かる制御動作は、中断前にディスクに記録された信号の再生動作を行い、その再生信号より得られる同期信号と記録用の同期信号との同期合わせ処理を行うことによって行われるが、その記録中断位置において記録状態への切り換え動作が行われることになる。
【００３０】
記録再開のための制御動作は、先ず前記制御回路９に設けられている記録開始電圧出力端子９Ｒに前述した動作により記憶されたモニター信号のレベルに基づく駆動電圧を出力する制御動作が行われる。前記記録開始電圧出力端子９Ｒに出力させる駆動電圧を得るための処理動作は、まず記録出力設定回路５より記録中断時に出力されていた基準信号を出力させるためのデータに基づくモニター信号のレベルを算出することによって行われる。斯かる算出動作は、前述した第１の設定動作によって求められた近似式に基づいて行うことが出来る。次にこのように求められたモニター信号のレベルに対応した駆動電圧を前記第２の設定動作によって得られた近似式に基づいて算出し、その駆動電圧を前記記録開始電圧出力端子９Ｒに出力させることが出来る。
【００３１】
斯かる制御動作が行われると、記録再開直前、例えば記録再開により記録される記録信号を構成するブロックに組み込まれている同期信号の直前の同期信号、即ちディスクに記録中断前に最後に記録された同期信号の検出が行われたときに制御スイッチ１１を図示した状態の反対側に切り換える動作が行われる。
【００３２】
斯かる切換動作が行われた後、レーザーダイオード１より照射されるレーザー光の照射位置が記録再開位置に到達すると光ディスク記録再生装置を構成する各回路等を記録動作を行う状態へ切り換える動作が行われる。このようにして記録動作状態への切換が行われると、レーザー駆動回路２には制御回路９に設けられている記録開始電圧出力端子９Ｒに出力されている駆動電圧、即ち記録開始位置の線速度に適したレーザー出力が得られる駆動電圧が入力されるため、記録開始時には、レーザーダイオード１に最適な記録動作を行うためのレーザー出力が得られる駆動信号がレーザー駆動回路２より供給されることになる。
【００３３】
記録動作状態への切換が行われて記録動作が開始されると、直ちに制御スイッチ１１が図示した状態に切り換えられる。前記制御スイッチ１１が図示した状態に切り換えられると、比較回路６より得られる駆動電圧が制御スイッチ１１を介してレーザー駆動回路２に供給される状態になる。前記制御回路９に設けられている記録開始電圧出力端子９Ｒに出力される駆動電圧に基づく駆動電流によりレーザーダイオード１が発光することによって記録動作が開始され、その間にその発光出力に基づく駆動電圧が比較回路６の出力端子に出力される状態になるため、前記制御スイッチ１１の切換によって比較回路６より得られる駆動電圧がレーザー駆動回路２に供給されても発光出力が変化することはない。
【００３４】
そして、前述した動作によって記録動作が再開されたとき、レーザーダイオード１に供給される駆動電圧は、前記記録出力設定回路５より出力される基準信号に対応した電圧値になるため、該レーザーダイオード１より照射されるレーザー光の出力は、記録開始位置における記録動作を行うために最適なレベルに設定されることになる。
【００３５】
前述した切換動作が行われた後は、モニター用ダイオード３より得られるモニター信号に基づく制御動作、即ちサーボ動作が行われてレーザーダイオード１より照射されるレーザー光の出力調整動作が行われることになる。このように記録動作状態への切換動作が行われると、レーザーダイオード１より照射されるレーザー光の出力が最適なレベルより開始されるため、レーザー光の出力動作を制御するサーボ動作を速やかに開始させることが出来る。従って、記録動作状態への切換動作を短時間にて行うことが可能となり、記録中断後の記録再開動作をディスク上の記録中断位置より開始させることが出来る。それ故、記録中断前にディスクに記録した信号に連続するように信号の追記動作を正確に行うことが出来る。
【００３６】
尚、本実施例では、第１設定動作及び第２設定動作を行う場合の測定用駆動データとして、レーザーダイオードの定格出力の２０％と８０％のレーザー光を発生させるデータを使用した場合について説明したが、そのデータは限定されるものではなく、駆動電圧とモニター信号のレベルとの関係を表す正確な近似式を得ることが出来るデータであれば問題はない。
【００３７】
【発明の効果】
本発明は、ディスクに信号を記録するレーザー光を照射するレーザーダイオードと、該レーザーダイオードより照射されるレーザー光のレベルをモニターするべく設けられているモニター用ダイオードと、記録動作を行うために適したレーザー出力を得る基準信号を出力する記録出力設定回路と、該記録出力設定回路より出力される基準信号と前記モニター用ダイオードより得られるモニター信号とを比較することにより前記レーザーダイオードに供給される駆動電圧のレベルを制御するサーボ回路とより成り、記録開始前に前記記録出力設定回路より出力される測定用基準信号に応じた駆動電圧をサーボ回路を通してレーザーダイオードに供給するとともに前記モニター用ダイオードより得られるモニター信号に基づいて基準信号とモニター信号のレベルとの関係を求める第１設定動作を行い、更に前記サーボ回路からの駆動電圧に代わって測定用駆動データに基づく駆動電圧をレーザーダイオードに供給するとともに前記モニター用ダイオードより得られるモニター信号に基づいて駆動データとモニター信号のレベルとの関係を求める第２設定動作を記録動作を行う前に行い、記録動作中前記記録出力設定回路より出力される基準信号のレベルを記憶するメモリー回路を設け、記録中断後の記録再開時前記サーボ回路からの駆動電圧に代わって前記メモリー回路に記憶されている記録中断時の基準信号のレベルに対するモニター信号のレベルから得られる駆動電圧をレーザーダイオードに供給し、記録動作が再開されたとき、前記サーボ回路からの駆動電圧をレーザーダイオードに供給するようにしたので、記録再開時のレーザー出力を最適な値に設定することが出来る。それ故、本発明によれば角速度一定にて回転するディスクに信号を記録している状態において、記録動作の中断再開動作を行っても、それまでに記録されている信号に続けて次の信号を記録させるという記録動作を支障無く行うことが出来る。
【００３８】
また、本発明は、第１設定動作及び第２設定動作を非合焦状態にて行うようにしたので、ディスクに記録されている信号を消去する等のディスクへの悪影響を防止することが出来る。
【図面の簡単な説明】
【図１】本発明に係る光ディスク記録再生装置の一実施例を示す回路図である。
【符号の説明】
１　　　　レーザーダイオード
２　　　　レーザー駆動回路
３　　　　モニター用ダイオード
４　　　　モニター信号増幅回路
５　　　　記録出力設定回路
６　　　　比較回路
９　　　　制御回路
１０　　　　メモリー回路
１１　　　　制御スイッチ
【図１】
2004005784.tif 000003